【手続補正書】
【提出日】平成28年12月6日(2016.12.6)
【手続補正１】
【補正対象書類名】特許請求の範囲
【補正対象項目名】全文
【補正方法】変更
【補正の内容】
【特許請求の範囲】
【請求項１】
脈管内圧力感知装置のためのインターフェースであって、
遠位圧力感知装置から遠位圧力信号を受信するように構成される遠位入力と、
血流力学システムによって利用可能な形式で前記遠位圧力信号を前記血流力学システムに出力するように構成される遠位出力と、
近位圧力感知装置から近位圧力信号を受信するように構成される近位入力と、
前記血流力学システムによって利用可能な形式で前記近位圧力信号を前記血流力学システムに出力するように構成される近位出力と、
前記遠位入力、前記遠位出力、前記近位入力、および前記近位出力に結合される無線トランシーバと
を備え、前記無線トランシーバは、前記遠位圧力および前記近位圧力を、前記インターフェースから離して配置されるコンピューティングシステムに無線で送信するように構成され、前記コンピューティングシステムは、前記血流力学システムとは異なる、インターフェース。
【請求項２】
前記遠位入力、前記遠位出力、前記近位入力、前記近位出力、および前記無線トランシーバは、ハウジングに固定される、請求項１に記載のインターフェース。
【請求項３】
前記ハウジングが、幅５ｃｍから２５ｃｍ、高さ５ｃｍから２５ｃｍ、および奥行１ｃｍから１０ｃｍである、請求項２に記載のインターフェース。
【請求項４】
前記遠位圧力感知装置が、圧力感知ガイドワイヤである、請求項３に記載のインターフェース。
【請求項５】
前記近位圧力感知装置が、前記血流力学システムと共に使用するために構成される圧力感知カテーテルである、請求項４に記載のインターフェース。
【請求項６】
前記圧力感知カテーテルが、少なくとも４つのリードを介して前記血流力学システムと通信する、請求項５に記載のインターフェース。
【請求項７】
前記少なくとも４つのリードのうち第１の対のリードが、励起信号を前記圧力感知カテーテルに送信することと関連する、請求項６に記載のインターフェース。
【請求項８】
前記第１の対のリードと電気的に結合される第１の増幅器をさらに備え、前記第１の増幅器が、前記励起信号をサンプリングするように構成される、請求項７に記載のインターフェース。
【請求項９】
前記第１の増幅器は、前記サンプリングされた励起信号を前記無線トランシーバに送信する、請求項８に記載のインターフェース。
【請求項１０】
前記少なくとも４つのリードのうち第２の対のリードが、前記近位圧力感知装置から前記血流力学システムに前記近位圧力信号を送信することと関連する、請求項９に記載のインターフェース。
【請求項１１】
前記第２の対のリードと電気的に結合される第２の増幅器をさらに備え、前記第２の増幅器が、前記近位圧力信号をサンプリングするように構成される、請求項１０に記載のインターフェース。
【請求項１２】
前記第２の増幅器は、前記サンプリングされた近位圧力信号を前記無線トランシーバに送信する、請求項１１に記載のインターフェース。
【請求項１３】
前記血流力学システムから励起信号を受信する一対のリードに結合される電力抽出装置をさらに備え、前記電力抽出装置は、少なくとも前記無線トランシーバを動作させる際に使用するために前記励起信号から電力を抽出するように構成される、請求項１に記載のインターフェース。
【請求項１４】
リードの前記対は、前記血流力学システムの近位圧力測定入力と関連する、請求項１３に記載のインターフェース。
【請求項１５】
リードの前記対は、前記血流力学システムの遠位圧力測定入力と関連する、請求項１３に記載のインターフェース。
【請求項１６】
前記無線トランシーバが、前記遠位圧力および前記近位圧力を伴う識別患者情報を、前記コンピューティングシステムに無線で送信するようにさらに構成される、請求項１に記載のインターフェース。
【請求項１７】
血管狭窄を評価するためのシステムであって、前記システムは、
人間の血管系に挿入するためのサイズおよび形状を有する遠位圧力感知装置と、
人間の血管系に挿入するためのサイズおよび形状を有する近位圧力感知装置と、
インターフェースと
を備え、
前記インターフェースは、
前記遠位圧力感知装置から遠位圧力信号を受信するように構成される遠位入力と、
前記近位圧力感知装置から近位圧力信号を受信するように構成される近位入力と、
処理システムによって利用可能な形式で前記近位圧力信号を前記処理システムに出力するように構成される近位出力と、
前記遠位入力、遠位出力、前記近位入力、および前記近位出力に結合される無線トランシーバと
を備え、
前記無線トランシーバは、前記遠位圧力および前記近位圧力を、前記インターフェースから離して配置されるコンピューティングシステムに無線で送信するように構成され、
前記コンピューティングシステムは、前記処理システムとは異なる、
システム。
【請求項１８】
前記処理システムは、血流力学システムである、請求項１７に記載のシステム。
【請求項１９】
前記無線トランシーバが、ＩＥＥＥ８０２．１１  Ｗｉ−Ｆｉ（登録商標）規格およびＢｌｕｅｔｏｏｔｈ（登録商標）規格の一方を使用して、前記遠位圧力および前記近位圧力を無線で送信するように構成される、請求項１７に記載のシステム。
【請求項２０】
前記インターフェースが、前記遠位入力、前記遠位出力、前記近位入力、および前記近位出力に結合されるプロセッサをさらに含み、前記プロセッサが、前記受信した遠位圧力信号と前記受信した近位圧力信号とに基づいて前記遠位圧力と前記近位圧力との間の圧力差を算出するように構成され、前記無線トランシーバが、前記圧力差を、前記インターフェースから離して配置される装置に無線で送信するようにさらに構成される、請求項１７に記載のシステム。
【請求項２１】
前記インターフェースが、処理システムによって利用可能な形式で前記遠位圧力信号を前記処理システムに出力するように構成される遠位出力をさらに備える、請求項１７に記載のシステム。
【請求項２２】
前記遠位入力、前記遠位出力、前記近位入力、前記近位出力、および前記無線トランシーバは、ハウジングに固定される、請求項２１に記載のシステム。
【請求項２３】
前記ハウジングが、幅５ｃｍから２５ｃｍ、高さ５ｃｍから２５ｃｍ、および奥行１ｃｍから１０ｃｍである、請求項２２に記載のシステム。
【請求項２４】
前記遠位圧力感知装置が、圧力感知ガイドワイヤである、請求項２３に記載のシステム。
【請求項２５】
前記近位圧力感知装置が、前記処理システムと共に使用するために構成される圧力感知カテーテルである、請求項２４に記載のシステム。
【請求項２６】
前記圧力感知カテーテルが、少なくとも４つのリードを介して前記処理システムと通信する、請求項２５に記載のシステム。
【請求項２７】
前記少なくとも４つのリードのうち第１の対のリードが、励起信号を前記圧力感知カテーテルに送信することと関連する、請求項２６に記載のシステム。
【請求項２８】
前記第１の対のリードと電気的に結合される第１の増幅器をさらに備え、前記第１の増幅器が、前記励起信号をサンプリングするように構成される、請求項２７に記載のシステム。
【請求項２９】
前記第１の増幅器は、前記サンプリングされた励起信号を前記無線トランシーバに送信する、請求項２８に記載のシステム。
【請求項３０】
前記少なくとも４つのリードのうち第２の対のリードが、前記近位圧力感知装置から前記処理システムに前記近位圧力信号を送信することと関連する、請求項２９に記載のシステム。
【請求項３１】
前記第２の対のリードと電気的に結合される第２の増幅器をさらに備え、前記第２の増幅器が、前記近位圧力信号をサンプリングするように構成される、請求項３０に記載のシステム。
【請求項３２】
前記第２の増幅器は、前記サンプリングされた近位圧力信号を前記無線トランシーバに送信する、請求項３１に記載のシステム。
【請求項３３】
前記処理システムから励起信号を受信する一対のリードに結合される電力抽出装置をさらに備え、前記電力抽出装置は、前記ハウジング内に配置され、少なくとも前記無線トランシーバを動作させる際に使用するために前記励起信号から電力を抽出するように構成される、請求項１７に記載のシステム。
【請求項３４】
リードの前記対は、前記処理システムの近位圧力測定入力と関連する、請求項３３に記載のシステム。
【請求項３５】
リードの前記対は、前記処理システムの遠位圧力測定入力と関連する、請求項３３に記載のシステム。
【請求項３６】
前記無線トランシーバが、前記遠位圧力および前記近位圧力を伴う識別患者情報を、前記コンピューティングシステムに無線で送信するようにさらに構成される、請求項１７に記載のシステム。